(57)【要約】【課題】光漏れや虫の侵入等が起きず、高い展示効果が得られる展示用ダミーケースを提供する。【解決手段】折り曲げ罫線２を、自動販売機により販売されるタバコと略酷似する表示内容４が印刷されたプラスチックシートの前面部１ａ及び側面部１ｂ、後面部１ｃ、折込み部１ｅ、上面部１ｆ、下面部１ｇ、折込み部１ｈの折り曲げ部分に付設して、展示用ダミーケース３を平面展開した形状に型抜きする。前面部１ａ及び側面部１ｂ、後面部１ｃ、折込み部１ｅ、上面部１ｆ、下面部１ｇ、折込み部１ｈを折り曲げ罫線２に沿って略直角に折り曲げ、折込み部１ｈ及び後面部１ｃの重ね合わせ部分を熱溶着装置１０で溶着して、タバコケース型のダミー形態に組立てる。【選択図】  図１
2004151317.tif 000002
【特許請求の範囲】
【請求項１】
自動販売機により販売される商品と略酷似する展示用ダミーケースであって、上記展示用ダミーケースを、所望する方向及び角度に折り曲げが許容される折り曲げ罫線を、上記商品と略酷似する表示内容が印刷されたプラスチックシートを構成する前面部の両側縁部に連設した側面部と、該側面部の外側縁部に連設した後面部と、該前面部の上縁部に連設した上面部及び下縁部に連設した下面部との折り曲げ部分に付設し、
上記プラスチックシートの前面部及び側面部、上面部、下面部を折り曲げ罫線に沿って折り曲げ、該側面部及び上面部を略密封状態に固定して組立てた
展示用ダミーケース。
【請求項２】
上記展示用ダミーケース内部と対応するプラスチックシートの裏面側を、該裏面側を除く部分よりも柔らかい合成樹脂で構成した
請求項１記載の展示用ダミーケース。
【請求項３】
上記折り曲げ罫線の深さを、上記プラスチックシートの肉厚に対して略４０％〜略９５％の範囲に含まれる深さに設定し、
上記折り曲げ罫線の幅を、上記プラスチックシートの肉厚に対して略１０％〜略１００％の範囲に含まれる幅に設定した
請求項１記載の展示用ダミーケース。
【請求項４】
上記側面部及び上面部を固定手段により略密封状態に固定した
請求項１記載の展示用ダミーケース。
【請求項５】
上記密封状態及び組立て状態を保持する補助部を、上記展示用ダミーケース内部と対応するプラスチックシートの裏面側に設けた
請求項１記載の展示用ダミーケース。
【発明の詳細な説明】
【０００１】
【発明の属する技術分野】
この発明は、例えばタバコや飲み物、食品、玩具等の商品を販売する自動販売機の展示部に陳列される展示用ダミーケースに関する。
【０００２】
【従来の技術】
従来、上述の展示用ダミーケースとしては、例えば展示用ダミーを構成する前面部及び側面部、上面部、下面部を、合成樹脂板を打抜き加工により型抜きして形成し、凹部及び凸部や連結具及び突起等の連結部を、前面部及び側面部、上面部、下面部の連結部分に設けた特許文献１の展示用ダミーがある。
【０００３】
【特許文献１】
特開平７−２１９４４３号公報。
【０００４】
【発明が解決しようとする課題】
しかし、上述の展示用ダミーは、合成樹脂板を打抜き加工により型抜きして形成するので、連結部をプレス加工するのに適した肉厚が必要であり、前面部及び側面部、上面部、下面部の肉厚が厚く、プラスチックの使用量が多くなるため、製造コストが高くなる。且つ、連結部をプレス加工する金型の製作費が高く、金型の製作及び展示用ダミーの製造に時間が掛かるという問題点を有している。
【０００５】
また、上述の展示用ダミーを射出成形した場合、商品と略酷似する表示内容が印刷されたラベルを、展示用ダミーを平面展開した形状に打抜いた後、そのラベルを、展示用ダミー外面に対して手作業で貼着しなければならず、予め定められた部分に対して正確に貼着することが難しく、ラベル貼着面に空気溜まりができることがある。且つ、ラベルの貼着位置がずれていると、光源から投光される光を展示用ダミー内部に照射したとき、光漏れが生じやすく、ダミーとしての意匠価値及び商品価値が損なわれる。
【０００６】
且つ、展示部の温度が上昇したとき、空気溜まりの空気が膨張して、ラベルが剥離及び破損することがあり、展示用ダミーの肉厚が薄いと熱で変形しやすいため、高温に耐え得る肉厚に形成する必要があるが、プラスチックの使用量が多くなり、製造コストが高くなる。且つ、金型の製作費が高く、製作に時間が掛かるという問題点を有している。
【０００７】
この発明は上記問題に鑑み、プラスチックシートの前面部及び側面部、後面部、上面部、下面部を折り曲げ罫線に沿って折り曲げ、該側面部及び上面部を略密封状態に固定することにより、光漏れや虫の侵入等が起きず、ダミーとして高い展示効果が得られる展示用ダミーケースの提供を目的とする。
【０００８】
【課題を解決するための手段】
この発明は、自動販売機により販売される商品と略酷似する展示用ダミーケースであって、上記展示用ダミーケースを、所望する方向及び角度に折り曲げが許容される折り曲げ罫線を、上記商品と略酷似する表示内容が印刷されたプラスチックシートを構成する前面部の両側縁部に連設した側面部と、該側面部の外側縁部に連設した後面部と、該前面部の上縁部に連設した上面部及び下縁部に連設した下面部との折り曲げ部分に付設し、上記プラスチックシートの前面部及び側面部、上面部、下面部を折り曲げ罫線に沿って折り曲げ、該側面部及び上面部を略密封状態に固定して組立てた展示用ダミーケースであることを特徴とする。
【０００９】
上述のプラスチックシートは、例えば非結晶性ＰＥＴポリマー（ＰＥＴＧ）やポリカーボネート（ＰＣ）やポリエチレンテレフタレート（ＰＥＴ）、ポリプロピレン（ＰＰ）、ポリエチレン（ＰＥ）、生分解性プラスチック等の単体又は複合した展示時の高温に耐えるプラスチックで形成され、且つ、例えば略０．２ｍｍ〜略１ｍｍの範囲に含まれる所定の厚さ（実施例では略０．５ｍｍ）に形成した透明又は半透明のプラスチックシートが用いられる。且つ、展示用ダミーケースは、例えばタバコや飲み物、食品、玩具等の商品と略酷似するダミー形態に構成することができる。
【００１０】
つまり、実施例の図１及び図２に示すように、プラスチックシート１を、展示用ダミーケース３を平面展開した形状に型抜きすると略同時及び型抜きするまえ、型抜きしたあと、折り曲げ罫線２（図３参照）を、自動販売機により販売される商品（例えばタバコ）と略同一及び略酷似する表示内容４が印刷されたプラスチックシート１の前面部１ａ及び側面部１ｂ、後面部１ｃ、上面部１ｆ、下面部１ｇの折り曲げ部分に付設する。且つ、上述の前面部１ａ及び側面部１ｂ、後面部１ｃ、上面部１ｆ、下面部１ｇを折り曲げ罫線２に沿って所望する方向及び角度（略９０度）に折り曲げ、その側面部１ｂ及び上面部１ｆ或いは前面部１ａ及び側面部１ｂ、後面部１ｃ、上面部１ｆ、下面部１ｇを略密封状態に固定（例えば溶着や接着、嵌着、係止、片面又は両面の粘着テープ、止め具等の固定手段）して、所定のダミー形態（図１参照）に組立てる。
【００１１】
実施の形態として、上記展示用ダミーケース内部と対応するプラスチックシートの裏面側を、該裏面側を除く部分よりも柔らかい合成樹脂（例えば引張り強度がＪＩＳＫで略３００％以上の伸び率を有するものが好ましい）で構成することができる。また、上記折り曲げ罫線の深さを、上記プラスチックシートの肉厚に対して略４０％〜略９５％の範囲に含まれる深さに設定し、上記折り曲げ罫線の幅を、上記プラスチックシートの肉厚に対して略１０％〜略１００％の範囲に含まれる幅に設定することができる。また、上記側面部及び後面部、上面部、下面部を固定手段（例えば重ね合わせ部分を熱溶着する熱溶着装置、粘着テープ、接着剤、差込み片及び差込み孔、折込み部の差込み等）により略密封状態に固定することができる。また、上記密封状態及び組立て状態を保持する補助部（例えば補助シートやリブ、補助部材等）を、上記展示用ダミーケース内部と対応するプラスチックシートの裏面側に設けることができる。
【００１２】
上述の折り曲げ罫線２の幅Ｂを、プラスチックシート１の肉厚Ａに対して略４０％以下に狭くすると、罫線刃６の寿命が短くなる。また、幅Ｂを略１００％以上に広くすると、折り曲げ罫線２を付設するときに大きな押圧力が必要で加工が難しく、罫線刃６の交わる部分に皺や波打ち等が発生することがあるため、略４０％〜略１００％の範囲に含まれる幅Ｂ（例えば略０．２ｍｍ）に設定するのが好ましい。
【００１３】
且つ、折り曲げ罫線２の深さＣを、プラスチックシート１の肉厚Ａに対して略１０％以下に浅くすると、折り曲げ部分を略直角に折り曲げることができず、アール形状に変形（特に高温時）しやすくなる。また、深さＣを略９５％以上に深くすると、折り曲げ部分の強度が弱くなり、亀裂や破損等が起きることがあるため、略４０％〜略９５％の範囲に含まれる深さ（例えば略０．４ｍｍ）に設定するのが好ましい。
【００１４】
且つ、折り曲げ罫線２の谷間角度θ１及び罫線刃６の刃先角度θ２を、例えば略１０度〜略９０度の範囲に含まれる角度（例えば略４３度）に設定するのが好ましく、例えば角度θ１，θ２を略１０度以下に設定すると、罫線刃６を、プラスチックシート１に押圧するときの押圧力が小さくて済むが、罫線刃６の強度が低下し、破損する確立が増大する。また、略９０度以上に設定すると、折り曲げ罫線２を付設するときに大きな押圧力が必要であり、加工が難しくなる。
【００１５】
なお、高温に耐えるポリカーボネートやポリエチレンテレフタレートは、硬くて伸び率が少ないため、罫線付設時において、罫線刃６を深く入れると、その部分から割れる場合がある。
【００１６】
そこで本発明は、例えば非結晶性ＰＥＴポリマー（ＰＥＴＧ）やポリプロピレン（ＰＰ）、ポリエチレン（ＰＥ）等を硬質のプラスチックシートに重合及び多層押出し成形、接着剤でラミネートした多層構造のプラスチックシートを用いる。つまり、折り曲げ罫線を、展示用ダミーケース外部と対応するプラスチックシートの表面側に付設するとき、柔軟性を有する伸び率の高いプラスチックシートを展示用ダミーケース内部と対応させるので、割れが起こりにくく、強い折り曲げ構造となる。且つ、折り曲げ罫線を深く入れられるので、折り曲げ性が良好となり、組立て後の仕上がりもよく、光漏れや虫の侵入等が起きないような略密着した展示用ダミーケースが得られる。
【００１７】
実施例では、図３に示すプラスチックシート１を、展示用ダミーケース３の外面側に対応する表面側の第１層ａと、展示用ダミーケース３の内面側に対応する裏面側の第３層ｃと、第１層ａ及び第３層ｃの間に重合される第２層ｂとを一体的に積層してなる３層構造に形成している。且つ、第１層ａ及び第３層ｃを、例えば非結晶性ＰＥＴポリマー（ＰＥＴＧ）やポリエチレン（ＰＥ）、ポリプロピレン（ＰＰ）等の柔軟性を有する合成樹脂で略０．０５ｍｍの厚さに夫々形成し、第２層ｂを、例えばポリカーボネート（ＰＣ）やポリエチレンテレフタレート（ＰＥＴや延伸ＰＥＴシート）等の硬質の合成樹脂で略０．４ｍｍの厚さに形成して、プラスチックシート１全体の肉厚を略０．５ｍｍの厚さに形成している。
【００１８】
且つ、第３層ｂの肉厚Ｄは、プラスチックシート１の肉厚Ａに対して略３０％以下に設定するのが好ましく、肉厚Ｄを略３０％以上に厚くすると、耐熱性が劣り、折り曲げ時の復元力（腰が弱く）が弱くなる。なお、最低限の肉厚Ｄは、略１０ミクロン程度の厚さが必要である。
【００１９】
第１層ａを、非結晶性ＰＥＴポリマー（ＰＥＴＧ）で構成すると、例えば印刷インキ及びシールの密着性、溶剤及び接着剤による接着性、加熱及び超音波による溶着性が良くなる。また、上述のプラスチックシート１を、第２層ｂ及び第３層ｃからなる２層構造又は１層構造のプラスチックシートに代えてもよい。
【００２０】
且つ、プラスチックシートの折り曲げ部分に付設される折り曲げ罫線を、例えば刃先側から見て略縄模様状の罫線刃を用いて付設するか、或いは、特許第２５３６５３８号公報及び特開平１０−１９３４４０号公報等の罫線刃を用いる等して付設することができる。また、折り曲げ罫線の代わりに、例えばミシン目や溝部、凹部、その他の折り目等を付設してもよい。
【００２１】
【作用及び効果】
この発明によれば、表示内容が印刷されたプラスチックシートの前面部及び側面部、上面部、下面部を折り曲げ罫線に沿って折り曲げ、各部を略密着した状態に固定して組立てるので、展示時において、光漏れや虫の侵入等が起きず、展示用ダミーケース全体が略均一に発光するため、ダミーとして高い展示効果が得られると共に、従来例のような連結部をプレス加工したり、射出成形する等の工程及び装置が不要となり、製造工程を簡素化することができる。
【００２２】
且つ、商品と略酷似する表示内容をプラスチックシートに対して直接印刷するので、従来例のようにラベルを手作業で貼着するような手間及び作業が省け、表示内容を予め定められた部分に対して正確且つ確実に印刷することができる。且つ、量産性がよく、品質が安定し、金型等の製作費が大幅に削減されるため、展示用ダミーケースを簡単且つ安価に製造することができ、コストの低減及び廃棄時の問題解決を図ることができる。
【００２３】
【実施例】
この発明の一実施例を以下図面に基づいて詳述する。
【００２４】
図面は、自動販売機の展示部に展示されるタバコケース型の展示用ダミーケースを示し、図１に於いて、この展示用ダミーケース３は、自動販売機（図示省略）により販売されるタバコと略酷似する外観及び意匠に形成され、販売機本体の展示部に展示及び陳列される。
【００２５】
上述の展示用ダミーケース３は、図２にも示すように、例えば透明又は半透明に形成した透光性及び耐熱性を有する３層構造のプラスチックシート１で構成され、プラスチックシート１を、タバコケース型の展示用ダミーケース（図１参照）を平面展開した形状に型抜きすると略同時及び型抜きするまえ、型抜きしたあと、正面から見て略矩形を有する前面部１ａと、前面部１ａの両側縁部に連設した側面部１ｂと、側面部１ｂの外側縁部に連設した後面部１ｃと、側面部１ｂの上下縁部に連設した折込み部１ｅ…と、前面部１ａの上縁部に連設した上面部１ｆ及び下縁部に連設した下面部１ｇと、上面部１ｆ及び下面部１ｇに連設した折込み部１ｈとの折り曲げ部分に、後述する罫線刃６により折り曲げ罫線２を１条又は複数条形成する。
【００２６】
且つ、組立て時において、例えば光漏れや虫の侵入等を防止するため、側面部１ｂ及び折込み部１ｅを略同一幅に形成し、折り曲げ罫線２を、略直角（略９０度）に折り曲げが許容される幅及び深さの罫線で構成する。
【００２７】
且つ、後面部１ｃ及び下面部１ｇを透明又は半透明に形成し、展示部に内蔵した光源から投光される光が透過許容される透過率に設定して、光源から投光される光を展示用ダミーケース３内部に対して導光する。また、後面部１ｃ及び下面部１ｇの何れか一方を透明又は半透明に形成してもよい。
【００２８】
且つ、後述する熱溶着装置１０の支持部材１１が挿入許容される大きさ及び形状の開口部１ｉを、下面部１ｇの略中央面に開口している。なお、前面部１ａ及び側面部１ｂの角隅部を所望する曲率半径（例えばアール形状）に折り曲げようとする場合、前面部１ａ及び側面部１ｂの折り曲げ部分に対して所定間隔に隔てて複数形成する。
【００２９】
且つ、平面展開した形状に型抜きすると略同時及び型抜きするまえ、型抜きしたあと、自動販売機（図示省略）により販売されるタバコと略同一及び略酷似する表示内容４（例えば文字や模様、図柄、商品名、メーカー、注意書き等）を、プラスチックシート１の後面部１ｃ及び下面部１ｇを除いた前面部１ａ及び側面部１ｂ、上面部１ｆの裏面側又は表面側に印刷している。また、フィルム状の表示内容４を貼着してもよい。
【００３０】
上述の折り曲げ罫線２は、図３、図４にも示すように、所定角度（例えば略４３度）で傾斜し相互に対峙する一対の側面部２ａと、側面部２ａ，２ａの一端側と連続する底面部２ｂとで長手方向から見て略Ｖ字状に形成している。
【００３１】
且つ、常温において、プラスチックシート１の前面部１ａ及び側面部１ｂ、後面部１ｃ、折込み部１ｅ、上面部１ｆ、下面部１ｇ、折込み部１ｈの折り曲げ部分が略直角に折り曲げられた状態を保っていても、高温時において、折り曲げ部分に生じる応力反発でダミー全体が曲面形状に変形しようとするため、上述の変形を防止するのに適した深さ及び幅に形成する必要がある。
【００３２】
つまり、折り曲げ罫線２の幅Ｂを、プラスチックシート１の肉厚Ａに対して略１０％〜略１００％の範囲に含まれる幅（実施例では略０．２ｍｍ）に設定し、折り曲げ罫線２の深さＣを、プラスチックシート１の肉厚Ａに対して略４０％〜略９５％の範囲に含まれる深さ（実施例では略０．４ｍｍ）に設定（略直角に折り曲げが許容される深さ）するのが好ましい。
【００３３】
且つ、折り曲げ罫線２の底面部２ｂよりも浅い第１溝部を、折り曲げ罫線２の底面部２ｂに沿って長手方向に対して所定間隔に隔てて形成し、その第１溝部よりも深い第２溝部を、第１溝部間の底面部２ｂに沿って長手方向に対して複数形成してもよい。
【００３４】
また、第１溝部を側面から見て略平坦な形状に形成し、第２溝部を側面から見て滑らかな曲面形状で、第１溝部と略同等の深さに形成してもよい。且つ、第１及び第２溝部を側面から見て略円弧形状又は略半円形状に形成し、第２溝部を第１溝部よりも深く形成し、第１及び第２溝部よりも浅くて小さく、側面から見て滑らかな曲面形状の凸状溝部を、第１及び第２溝部上面に沿って長手方向に対して複数形成してもよい。
【００３５】
一方、前述の折り曲げ罫線２を付設するときに用いられる罫線刃６は、所定角度（例えば略４３度）で傾斜し相互に対峙する一対の側面部６ａと、側面部６ａ，６ａの一端側と連続する幅狭の頂面部６ｂとで長手方向から見て略Ｖ字状に形成している。
【００３６】
且つ、罫線刃６の頂面部６ｂよりも食込み量が浅い第１刃部を、罫線刃６の頂面部６ｂに沿って長手方向に対して所定間隔に隔てて形成し、その第１刃部よりも食込み量が深い第２刃部を、第１刃部間の頂面部６ｂに沿って長手方向に対して複数形成した罫線刃６を用いてもよい。
【００３７】
また、第１刃部を側面から見て略平坦な形状に形成し、第２刃部を側面から見て滑らかな曲面形状で、第１刃部と略同等の高さに形成した罫線刃６を用いてもよい。且つ、第１及び第２刃部を側面から見て略円弧形状又は略半円形状に形成し、第２刃部の食込み量を第１刃部よりも深く形成し、第１及び第２刃部よりも浅くて小さく、側面から見て滑らかな曲面形状の凹状刃部を、第１及び第２刃部下面に沿って長手方向に対して複数形成した罫線刃６を用いてもよい。
【００３８】
図示実施例は上記の如く構成するものにして、以下、展示用ダミーケースの作用動作を説明する。
【００３９】
先ず、図２に示すように、自動販売機（図示省略）により販売されるタバコと略同一及び略酷似する表示内容４を、長さ方向に連続又は所定サイズに形成したプラスチックシート１の後面部１ｃ及び下面部１ｇを除いて、前面部１ａ及び側面部１ｂ、上面部１ｆに印刷又は貼着する。
【００４０】
次に、図３、図４にも示すように、罫線刃６を、プラスチックシート１の肉厚Ａや材質、強度、硬度等に応じた押圧力でもって、プラスチックシート１の前面部１ａ及び側面部１ｂ、後面部１ｃ、折込み部１ｅ、上面部１ｆ、下面部１ｇ、折込み部１ｈの折り曲げ部分に対して略均等に押し付け、所望する方向及び角度に折り曲げが許容される折り曲げ罫線２を折り曲げ部分に形成した後、展示用ダミーケース１を平面展開した形状に型抜きする。また、展示用ダミーケース１を平面展開した形状に型抜きしてから、上述の表示内容４を印刷するか、折り曲げ罫線２を付設する等してもよい。
【００４１】
次に、折り曲げ罫線２が付設されたプラスチックシート１を、タバコケース型のダミー形態に組立てる場合、プラスチックシート１を構成する前面部１ａ及び側面部１ｂ、後面部１ｃ、折込み部１ｅ、上面部１ｆ、下面部１ｇ、折込み部１ｈの折り曲げ部分に形成した折り曲げ罫線２の薄肉部分を変形させて略直角に折り曲げ、後面部１ｃ及び折込み部１ｅ、上面部１ｆ、下面部１ｇを内側に折込み、折込み部１ｈを、後面部１ｃ，１ｃの外側に折り重ねて、タバコケース型のダミー形態に組立てた状態に保持する。
【００４２】
次に、図５に示すように、熱溶着装置１０を構成する支持部材１１を下面部１ｇに開口した開口部１ｉ側から挿入して、後面部１ｃ及び折込み部１ｈの内面側重合部分に対して内側から押し当てる。且つ、例えばヒーターや発熱体等の発熱機能を有する加熱部材１２を、後面部１ｃ及び折込み部１ｈの外面側重ね合わせ部分に対して外側から押し当てた後、支持部材１１及び加熱部材１２で挟持した後面部１ｃ及び折込み部１ｈの重ね合わせ部分を、加熱部材１２により部分的（例えば１箇所又は複数箇所）に加熱して、略点状の溶着部５…により一体的に溶着固定し、図１に示すタバコケース型のダミー形態に組立てた後、その組立て完了した展示用ダミーケース１を、自動販売機（図示省略）を構成する展示部に複数展示する。なお、後面部１ｃ及び折込み部１ｈの重合部分を、例えば線待遇や面待遇で熱溶着してもよい。
【００４３】
以上のように、表示内容４が印刷されたプラスチックシートの前面部１ａ及び側面部１ｂ、後面部１ｃ、折込み部１ｅ、上面部１ｆ、下面部１ｇ、折込み部１ｈを折り曲げ罫線２に沿って略直角に折り曲げ、上下折込み部１ｈ及び後面部１ｃ，１ｃの重ね合わせ部分を熱溶着装置１０で溶着して、前面部１ａ及び側面部１ｂ、後面部１ｃ、上面部１ｆ、下面部１ｇを略密着した状態に固定して組立てるので、展示時において、光漏れや虫の侵入等が起きず、展示用ダミーケース３全体が略均一に発光するため、ダミーとして高い展示効果が得られると共に、従来例のような連結部をプレス加工したり、射出成形する等の工程及び装置が不要となり、製造工程を簡素化することができる。
【００４４】
且つ、商品と略酷似する表示内容４を型抜きするまえのプラスチックシート１に対して直接印刷するので、従来例のようにラベルを手作業で貼着するような手間及び作業が省け、表示内容４を予め定められた部分に対して正確且つ確実に印刷することができる。且つ、且つ、量産性がよく、品質が安定し、金型等の製作費が従来の約１／１０程度に削減されるため、展示用ダミーケース３を簡単且つ安価に製造することができ、コストの低減を図ることができる。
【００４５】
且つ、プラスチックシート１を折り曲げてダミー形態に組立てるので、一つの展示用ダミーケース３に使用されるプラスチックの量を、従来の約１／４程度に削減することができ、１年に１回から２回程度の取り換え回数で使用できるため、プラスチックの廃棄量が少なくなり、廃棄場所や廃棄費用等の問題を解決することができる。
【００４６】
図６、図７は、熱溶着装置１０による展示用ダミーケース３の他の固定方法を示し、熱溶着装置１０を構成する側面から見て略Ｌ字状の支持部材１１を、後面部１ｃ，１ｃの対向縁部間に切欠き形成した開口部１ｊ側から挿入して、後面部１ｃ及び折込み部１ｈの内面側重合部分に対して内側から押し当てる。且つ、加熱部材１２を、後面部１ｃ及び折込み部１ｈの外面側重合部分に対して外側から押し当てた後、後面部１ｃ及び折込み部１ｈの重合部分を加熱部材１２で部分的に加熱して、略点状の溶着部５…により一体的に溶着固定して組立てるので、上述の実施例と略同等の作用及び効果を奏することができる。
【００４７】
且つ、熱溶着装置１０の支持部材１１を、図８に示すように、折込み部１ｈと重合する部分を除いて、後面部１ｃ，１ｃの略対向縁部全体を切欠いて形成した開口部１ｋから挿入して、後面部１ｃ及び折込み部１ｈの重合部分を、支持部材１１及び加熱部材１２で挟持して一体的に溶着固定することもできる。
【００４８】
図９は、粘着テープ１３による展示用ダミーケース３のその他の固定方法を示し、粘着テープ１３を、タバコケース型に組立てられたプラスチックシート１の後面部１ｃ，１ｃと、その後面部１ｃ，１ｃに折り重ねられた折込み部１ｈとの露出部分に対して掛け渡される状態に貼着して組立てるので、上述の実施例と略同等の作用及び効果を奏することができる。且つ、図１０に示すように、プラスチックシート１の後面部１ｃ，１ｃと、その後面部１ｃ，１ｃの内面側（又は外面側）に重合された折込み部１ｈとの対向面間を接着剤１４で一体的に接着固定してもよい。
【００４９】
図１１は、接着剤１４による展示用ダミーケース３のその他の固定方法を示し、一方の側面部２ｂに連設した接合片１ｄ及び他方の側面部２ｂに連設した後面部１ｃの重合部分と、後面部１ｃ及び折込み部１ｈの重合部分とを接着剤１４で接着固定して組立てるので、上述の実施例と略同等の作用及び効果を奏することができる。且つ、図１２に示すように、上述の接合片１ｄ及び後面部１ｃを接着剤１４で接着固定した後、折込み部１ｈを、上面部１ｆ及び下面部１ｇと後面部１ｃとの隙間に差込んで組立てることもできる。
【００５０】
図１３は、差込み片１ｍ及び差込み孔１ｎによる展示用ダミーケース３のその他の固定方法を示し、プラスチックシート１の折込み部１ｈに連設した略鉤状の差込み片１ｍを、後面全体が閉塞される大きさ及び形状を有する後面部１ｃに形成した差込み孔１ｎに対して抜取り可能及び抜取り不可に差し込んで、前面部１ａ及び側面部１ｂ、後面部１ｃ、上面部１ｆ、下面部１ｇを略密封状態に固定することもできる。なお、図１１乃至図１３の後面部１ｃは、略後面側全体が閉塞される大きさ及び形状に形成している。
【００５１】
図１４は、略０．２ｍｍ〜略１ｍｍの肉厚を有するプラスチック製の補助シート１５を、折込み部１ｅ及び上面部１ｆの裏面側重合部分に固定（例えば接着や溶着、嵌着等）する展示用ダミーケース３のその他の固定方法を示し、折込み部１ｅ及び上面部１ｆを、プラスチックシート１と略同一又は異なる材質で形成した補助シート１５を、折込み部１ｅ及び上面部１ｆの裏面側重合部分に対して内側から接着固定するので、光漏れや虫の侵入等が側面部１ｂ及び上面部１ｆの間に発生するのを防止することができる。且つ、密封状態及び組立て形態を保持するのに必要な強度が得られ、ケース全体の腰が強くなると共に、変形防止及び強度向上を図ることができる。且つ、補助シート１５を、上面部１ｆと略同色に配色及び表示内容Ａを印刷してもよい。
【００５２】
なお、前述の折り曲げ罫線２及び罫線刃６を、例えば上下逆三角形となる鋭角形状に形成するか、略半円形状や略楕円形状となる曲面形状等の断面形状に形成してもよく、実施例の断面形状のみに限定されるものではない。
【図面の簡単な説明】
【図１】展示用ダミーケースの組立て状態を示す斜視図。
【図２】表示内容を印刷したプラスチックシートの展開状態を示す平面図。
【図３】折り曲げ罫線及び罫線刃の形状を示す拡大断面図。
【図４】プラスチックシートを略直角に折り曲げた状態を示す拡大断面図。
【図５】後面部及び上面部、下面部の固定方法を示す縦断側面図。
【図６】一部後面開口の展示用ダミーケースの組立て状態を示す斜視図。
【図７】後面部及び上面部、下面部の他の固定方法を示す縦断側面図。
【図８】略全部後面開口の展示用ダミーケースの組立て状態を示す斜視図。
【図９】粘着テープによるその他の固定方法を示す斜視図。
【図１０】後面部及び折込み部を接着するその他の固定方法を示す斜視図。
【図１１】接合片及び後面部を固定するその他の固定方法を示す斜視図。
【図１２】折込み部を差込んで固定するその他の固定方法を示す斜視図。
【図１３】略鉤状の差込み片により固定するその他の固定方法を示す斜視図。
【図１４】補助シートを裏面側重合部分に固定するその他の固定方法を示す縦断正面図。
【符号の説明】
１…プラスチックシート
１ａ…前面部
１ｂ…側面部
１ｃ…後面部
１ｅ，１ｈ…折込み部
１ｆ…上面部
１ｇ…下面部
１ｍ…差込み片
１ｎ…差込み孔
２…折り曲げ罫線
３…展示用ダミーケース
４…表示内容
５…溶着部
６…罫線刃
１０…熱溶着装置
１３…粘着テープ
１４…接着剤
１５…補助シート
【図１】
2004151317.tif 000003
【図２】
2004151317.tif 000004
【図３】
2004151317.tif 000005
【図４】
2004151317.tif 000006
【図５】
2004151317.tif 000007
【図６】
2004151317.tif 000008
【図７】
2004151317.tif 000009
【図８】
2004151317.tif 000010
【図９】
2004151317.tif 000011
【図１０】
2004151317.tif 000012
【図１１】
2004151317.tif 000013
【図１２】
2004151317.tif 000014
【図１３】
2004151317.tif 000015
【図１４】
2004151317.tif 000016